(57)【要約】【課題】軽く小さく携帯に便利で、簡単に着脱可能できるにも拘わらず絡みを防止できる、コードの絡まり防止具を提供する。【解決手段】コード絡まり防止具（１）を、弾性を有するゴムあるいは合成樹脂から構成する。このコード絡まり防止具には、一方の交流用電源コード（１１）が挿入される貫通孔（２）と、他方の直流用電源コード１３が着脱自在に挟持される、断面形状が略Ｕ字形を呈する保持溝（５）とを形成する。この貫通孔（２）と保持溝（５）は、実質的に平行になっている。【選択図】図１
0003129036.tif 000002
【実用新案登録請求の範囲】
【請求項１】
コードの異なる２カ所を１つに束ねてコート絡まりを防止する、コード絡まり防止具であって、
前記コード絡まり防止具は、ゴム、合成樹脂等の可撓性あるいは弾性材料から構成され、その長手方向には貫通孔と、その側部には当該貫通孔と実質的に平行な、前記長手方向に垂直な断面の形状が略Ｕ字形を呈する保持溝とが形成され、
前記貫通孔には、前記コードの一部分が固定的に嵌合、あるいは固着され、前記保持溝には、前記コードの他の部分が、弾性変形により着脱自在に挟持されるようになっていることを特徴とするコード絡まり防止具。
【請求項２】
コードの異なる２カ所を１つに束ねてコート絡まりを防止する、コード絡まり防止具であって、
前記コード絡まり防止具は、ゴム、合成樹脂等の可撓性あるいは弾性材料から構成され、その長手方向の側部には実質的に平行な一対の開口であって、前記長手方向に垂直な断面の形状が略Ｕ字形を呈する、一対の保持溝が形成され、
前記一方の保持溝には前記コードの一部分が、そして他方の保持溝には、前記コードの他の部分が、弾性変形により着脱自在に挟持されるようになっていることを特徴とするコード絡まり防止具。
【請求項３】
請求項１または２に記載のコード絡まり防止具において、電源コード付きＡＣ−ＤＣアダプターから出ている交流用電源用コードの先端部と直流用電源用コードの先端部を束ねる、電源コード付きＡＣ−ＤＣアダプター用コード絡まり防止具。
【考案の詳細な説明】
【技術分野】
【０００１】
本考案は、両先端部がフリーになっているコードの両先端部を結合可能とし、コードの絡まりを防止する、コード絡まり防止具に関するものである。
【背景技術】
【０００２】
例えば、ノート型パーソナルコンピュータ等の携帯用電気機器では、交流用電源コードと直流用電源コードとが接続された電源コード付きＡＣ−ＤＣアダプタが採用されている。図３には、このようなＡＣ−ＤＣアダプター１０が示されている。このアダプター１０からは、その先端部に電源コネクタ１２が取り付けられた交流用電源コード１１と、直流プラグ１５が取り付けられた直流用電源コード１３とが延びている。このような電気機器は携帯することが多く、携帯時には電源コネクタ１２を交流電源から外し、そして携帯に便利なように直流プラグ１５も携帯用電気機器から外されている。外された電源コード１１、１３は丸められて、あるいはＡＣ−ＤＣアダプター１０に巻かれて鞄等に収納され、使用時には鞄から取り出されている。このような取り扱いをするときに、電源コード１１、１３は絡まりやすい。絡まっている状態が図３に示されている。電源コネクタ１２を電源に接続し、直流プラグ１５を携帯用電気機器の端子に挿入するためには、絡まりを解く必要があり、神経に障る面倒な作業となっている。  
【０００３】
このようなコードの絡まりを防止する留め具として、従来コードバンドが利用されている。コードバンドは、周知のように帯状のバンドと該バンドを留める留め具とからなり、束ねたコードを前記バンドで巻き、前記バンドが外れないように前記留め具で留めるようになっている。コードは束ねられ、そしてコードバンドでまとめられているので、コードの絡まりが防止される。
【０００４】
【特許文献１】実登３１０３０４０
【特許文献２】特開２００１−３３３４８５
【０００５】
特許文献１には、電源コードのような様々な種類のコードを巻き取り収納可能なコードリールが記載されている。コードは、コードリールに巻き取られるので、コードの絡まりはない。また、特許文献２には、イヤホンの電気コードが収納時に絡まるのを防止するための、結合部材が記載されている。この結合部材は、イヤホンの電気コードに取り付けられ、イヤホンユニットが接続されている２本に分岐した電気コードを挟んで保持する溝が設けられている。この溝に２本の分岐した電気コードを挟むことで、収納時にコードが絡まるのを防ぐことができる。
【考案の開示】
【考案が解決しようとする課題】
【０００６】
従来のコードバンドでは、コードの絡まりを防止することはできるが、コードを束ねるためにコードを小さく何回も折ってまとめる必要がある。このため、使用と収納を繰り返す携帯用機器の電源コード付きＡＣ−ＤＣアダプターに用いた場合、収納のたびに何回もコードを小さく折る作業をしなければならず繁雑である。さらに折り曲げを繰り返すことによってコードを痛め、電源コードの場合は断線する恐れもある。
特許文献１に記載のコードリールは、自動的に余分なコードを巻き取るようになっているので、煩雑さはない。しかし、巻き取られたコードはリールに収納するようになっているので、コードリール自体が大きくならざるを得ず、携帯には不便である。また、比較的曲げにくい交流用電源コードの場合、巻き取るために強力なバネを必要とするため、コードリールが重くなり、やはり携帯には不便である。
特許文献２に記載の結合部材は、小さいので携帯性が良く、また電気コードはワンタッチで取り付けることができるので、操作性にも優れている。しかし、分岐した電気コードは、結合部材と交差するように取り付けられるようになっているので、収納時や取り出し時に他のコード等に引っかかりやすく、そのために外れる恐れがある。
【０００７】
本考案は、上記したような従来の問題点あるいは欠点を解消した、コード絡まり防止具を提供することを目的とし、具体的には軽くて小さく携帯用電気機器に適用して便利で、コードを痛めず、単純な構造で安価であるにも拘わらずコードの絡まりをほぼ完全に防止できる、コード絡まり防止具を提供することを目的としている。また、他の考案は既存の電源コードにも容易に適用できるコード絡まり防止具を提供することを目的としている。
【課題を解決するための手段】
【０００８】
請求項１に記載の考案は、上記目的を達成するために、コードの異なる２カ所を１つに束ねてコート絡まりを防止する、コード絡まり防止具であって、前記コード絡まり防止具は、ゴム、合成樹脂等の可撓性あるいは弾性材料から構成され、その長手方向には貫通孔と、その側部には当該貫通孔と実質的に平行な、前記長手方向に垂直な断面の形状が略Ｕ字形を呈する保持溝とが形成され、前記貫通孔には、前記コードの一部分が固定的に嵌合、あるいは固着され、前記保持溝には、前記コードの他の部分が、弾性変形により着脱自在に挟持されるように構成される。
請求項２に記載の考案は、コードの異なる２カ所を１つに束ねてコート絡まりを防止する、コード絡まり防止具であって、前記コード絡まり防止具は、ゴム、合成樹脂等の可撓性あるいは弾性材料から構成され、その長手方向の側部には実質的に平行な一対の開口であって、前記長手方向に垂直な断面の形状が略Ｕ字形を呈する、一対の保持溝が形成され、前記一方の保持溝には前記コードの一部分が、そして他方の保持溝には、前記コードの他の部分が、弾性変形により着脱自在に挟持されるように構成される。
請求項３に記載の考案は、請求項１または２に記載のコード絡まり防止具において、電源コード付きＡＣ−ＤＣアダプターから出ている交流用電源用コードの先端部と直流用電源用コードの先端部を束ねる、電源コード付きＡＣ−ＤＣアダプター用コード絡まり防止具として構成される。
【考案の効果】
【０００９】
以上のように、請求項１に記載の考案に係るコード絡まり防止具は、ゴム、合成樹脂等の可撓性あるいは弾性材料から構成され、その長手方向には貫通孔と、その側部には当該貫通孔と実質的に平行な開口であって、前記長手方向に垂直な断面の形状が略Ｕ字形を呈する保持溝とが形成され、前記貫通孔にはコードのフリーとなっている先端部近傍が固定的に嵌合、あるいは固着され、前記保持溝にはコードの他の部分が弾性変形により着脱自在に挟持されるようになっているので、コードの異なる２カ所をワンタッチで１つに束ねて、絡まりを防ぐことができる。コードの異なる２カ所は、コードのフリーになっている両先端部とすると好ましい。このとき、コード絡み防止具はコードのフリーになっている先端近傍を束ねてコードをループ状とするため、収納時にコードが絡まることがない。また、構造が単純で軽量で、かさばらず携帯性に優れているだけでなく、安価に製造可能でもある。さらに、本考案に係るコード絡まり防止具により束ねられる一対のコードは、コード絡み防止具の近傍では平行となるため、束ねられた状態で、他の物に引っかかるようなことはなく、スムーズに収納したり取り出すことができる。また、貫通孔にはコードが嵌合あるいは固着されるようになっているので、コード絡まり防止具自体がコードから離れて紛失するようなことはない。
請求項２に記載の考案によると、コード絡まり防止具には側部が開口した断面形状が略Ｕ字形を呈する、実質的に平行な一対の保持溝が形成されているので、すなわち一対のコードは保持溝に着脱自在であるので、前記のような効果に加えて、必要となったときのみ取り付け、必要の無いときは外しておくことができるという請求項２に記載の考案に特有の効果が得られる。また、既存のコードを有する電気機器に適用できる効果も得られる。このとき、必要な数のコード絡まり防止具を使用することができる。請求項３に記載の考案によると、電源コード付きＡＣ−ＤＣアダプター用コード絡まり防止具であるので、電源コード付きＡＣ−ＤＣアダプターが多く採用されている携帯用電気機器、特に頻繁に携帯するノート型パーソナルコンピュータ等に適用して一層の効果が得られる。
【考案を実施するための最良の形態】
【００１０】
以下、本考案の実施の形態を説明する。図１は、本考案の第１の実施形態を示す図で、その（イ）は使用状態を、そしてその（ロ）は第１の実施形態に係るコード絡み防止具１をそれぞれ示す斜視図である。本実施の形態に係るコード絡み防止具１が適用される電気機器は、図示の実施の形態では電源コード付きＡＣ−ＤＣアダプタ１０で、このアダプタ１０から２本のコードすなわち交流用電源コード１１と直流用電源コード１３とが延びている。交流用電源コード１１の先端部には電源コネクタ１２が、そして直流用電源コード１３の先端部には直流プラグ１５がそれぞれ取り付けられている。このように構成されている電源コード１１、１３の適所、例えば先端部近傍にコード絡み防止具１が取り付けられるようになっている。
【００１１】
コード絡まり防止具１は、弾力性のあるゴムあるいは合成樹脂から略立方体を呈するように形成され、その一方の側部に上面から下面に達する貫通孔２が形成されている。また、この貫通孔２と平行に、同様に上面から下面に達する保持溝５が形成されている。貫通孔２の内径は、適用される電源コード１１、１３の外径とほぼ同一である。貫通孔２には電源コード１１または１３のいずれかを通し、これを接着剤等で固着されて、コード絡まり防止具１は電源コード１１または電源コード１３の先端部近傍に固定される。
【００１２】
保持溝５は、貫通孔２の側部を一部だけ切り落とした形になっている。すなわち、円弧状の一対のリップ部６、７から断面形状が略Ｕ字形を呈するように形成されている。これらのリップ部６、７の先端部の間隔は、適用される電源コード１１、１３の外径よりも多少小さい。したがって、リップ部６、７の先端部を押し広げて電源コード１１、１３を押し込むと、電源コード１１、１３はリップ部６、７の復元力により保持溝５に保持されることになる。
【００１３】
コード絡まり防止具１の使用法は、当業者には明らかであるので詳しい説明はしないが、例えば図１の（イ）に示されているようにして使用するときは、コードの絡まり防止具１の保持溝５に電源コード１３を押し込み、挟持させる。これにより、一対の電源コード１１，１３は束ねられる。本実施の形態によると、一対の電源コード１１、１３はコード絡まり防止具１により束ねられているので、格別に注意を払うことなく、電源コード付きＡＣ−ＤＣアダプタ１０を取り扱っても、電源コード１１、１３は絡まない。例え、絡んでいても電源コード付きＡＣ−ＤＣアダプタ１０を手に持って、電源コード１１、１３の方を下にして振るだけで絡みは解ける。
【００１４】
なお、上記実施の形態では、コード絡み防止具１は独立した部品としているが、電源コード１１の被覆と一体化して形成加工し、あたかも電源コード１１の一部とすることも可能である。
【００１５】
図２に、本考案の第２の実施の形態が示されている。第２の実施の形態に係るコード絡み防止具１’は、第１の実施の形態の透孔２に代えて保持溝５’が形成されている。他の構成要素は同じであるので、図２の（イ）、（ロ）において同じ参照数字にダッシュ「’」を付けて重複説明はしない。第２の実施の形態によると、電源コード１１、１３は保持溝５、５’に着脱自在であるので、必要となったときのみ取り付け、必要の無いときは外しておくことができ、また既存の電気機器にも容易に適用できる。さらには、必要な数のコード絡み防止具１’を使用することもできる。
【００１６】
なお、本考案にかかるコード絡み防止具は、中間に電気機器等を含まない１本のコードの絡み防止にも適用できる。図４にコード絡み防止具を１本のコードに取り付けている様子を示す。コードの絡みは、主にコードのよじれによりコードどうしがよれて生じるところ、図のように１本のコードの両端をコード絡み防止具で結合しループ状とすると、コードによじれが生じないためコードが絡まなくなる。
【産業上の利用可能性】
【００１７】
本考案に係るコード絡まり防止具は、電源コードだけでなくイヤホンの電気コード、電話線コード、ネットワークケーブル等を含む様々なコードおよびケーブルの絡まり防止具として利用可能である。
【図面の簡単な説明】
【００１８】
【図１】本考案の第１の実施形態を示す図で、その（イ）は使用状態を、その（ロ）は第１の実施形態に係るコード絡み防止具をそれぞれ示す斜視図である。
【図２】本考案の第２の実施形態を示す図で、その（イ）は使用状態を、その（ロ）は第２の実施形態に係るコード絡み防止具をそれぞれ示す斜視図である。
【図３】電源コード付きＡＣ−ＤＣアダプタの電源コードが絡んでいる状態を示す斜視図である。
【図４】１本の電源コードに本考案の第１の実施形態に係るコード絡み防止具を使用する状態を示す斜視図である。
【符号の説明】
【００１９】
１、１’    コード絡み防止具          ２      透孔
５、５’    保持溝                  １０      ＡＣ−ＤＣアダプタ       １１     交流用電源コード   １３      直流用電源コード
【図１】
0003129036.tif 000003
【図２】
0003129036.tif 000004
【図３】
0003129036.tif 000005
【図４】
0003129036.tif 000006